(57)【特許請求の範囲】
【請求項１】
建物の屋根に散水管を用いて散水する屋根上散水配管構造であって、前記散水管が貫通継手を介して建物の軒先に設けられる軒樋の底面を貫通するとともに前記散水管は屋根の上方までけらば部材の外側部に形成される凹部内に配置され、
前記軒樋の底面に孔が形成され、前記孔に対応して前記貫通継手が設けられることを特徴とする屋根上散水配管構造。
【請求項２】
請求項１に記載の屋根上散水配管構造であって、前記凹部に前記散水管を覆う化粧カバーを備えることを特徴とする屋根上散水配管構造。
【請求項３】
請求項１又は２に記載の屋根上散水配管構造であって、
前記貫通継手は、
前記軒樋の底面の上面に取付けられる第一フランジに短管を立設して成る上部継手と、
前記軒樋の底面の下面に取付けられる第二フランジに上下に突出する連通管を備えて成る下部継手とで形成されることを特徴とする屋根上散水配管構造。
【請求項４】
請求項３に記載の屋根上散水配管構造であって、
前記下部継手の前記連通管が前記軒樋の底面に形成される孔を貫通して前記上部継手の短管に嵌入することによって、前記第一フランジと前記第二フランジが前記軒樋の底面を挟持して前記上部継手と前記下部継手とが固着されることを特徴とする屋根上散水配管構造。
【請求項５】
請求項３又は４に記載の屋根上散水配管構造であって、
前記下部継手の連通管の上方部の外周に複数の溝が形成され、
前記溝は、前記上方部が前記上部継手の短管に固着する際に用いられる接着剤のための溜部であることを特徴とする屋根上散水配管構造。
【発明の詳細な説明】
【技術分野】
【０００１】
本発明は、建築物の屋根に散水するための屋根上散水配管構造に関し、詳しくは、建物下部から屋根上まで敷設される散水管の外観性が優れて建物の品質性が向上する屋根上散水配管構造に関する。
【背景技術】
【０００２】
従来、建築物の屋根上に積もった雪の除雪作業を頻繁に実施しないと雪の重みによって建築物が損傷するという問題があった。
【０００３】
この問題を解決する方法が特許文献１に開示されている。図７に示すように、特許文献１の屋根上散水配管構造は、建物１に降った雨水は軒樋７から雨水回収管５によって貯水タンク４に回収されて溜められる。この溜めた雨水はポンプ９によって建物１の屋根６まで散水管８によって導かれて、屋根の上方に設けられた散水部１０の図示しない複数の散水穴から散水される。この散水によって雪が溶けて、融雪水は軒樋７、雨水回収管５を経て再び貯水タンク４に戻るように循環方式が採用されている。
【０００４】
なお、貯水タンク４には、加熱手段としてのヒーター２０が取付けられ、このヒーター２０によって貯水タンク４内の雨水を加熱して温水にすることができる。
【０００５】
このように、屋根上散水配管構造は、建築物の屋根６上に積もった雪の除去作業を自動的に実施できるので雪の重みによって建築物が損傷することを防止できる。
【特許文献１】特開２００２−３０７０３号公報
【発明の開示】
【発明が解決しようとする課題】
【０００６】
ところが、この屋根上散水配管構造では、散水管８が軒下から屋根６の上方まで屋根に沿って露出して敷設されるので散水管の外観性が損なわれるため建物の品質性が劣るという問題があった。
【０００７】
そこで、本発明はかかる従来技術の問題に鑑みなされたものであって、軒下から屋根の上方まで敷設される散水管の外観性が優れて建物の品質性が向上する屋根上散水配管構造を提供することを目的とする。
【課題を解決するための手段】
【０００８】
請求項１の発明は、建物の屋根に散水管を用いて散水する屋根上散水配管構造であって、前記散水管が貫通継手を介して建物の軒先に設けられる軒樋の底面を貫通するとともに前記散水管は屋根の上方までけらば部材の外側部に形成される凹部内に配置され、前記軒樋の底面に孔が形成され、前記孔に対応して前記貫通継手が設けられることを特徴としている。
【０００９】
請求項２の発明は、請求項１に記載の屋根上散水配管構造であって、前記凹部に前記散水管を覆う化粧カバーを備えることを特徴としている。また、請求項３の発明は、請求項１又は２に記載の屋根上散水配管構造であって、前記貫通継手は、前記軒樋の底面の上面に取付けられる第一フランジに短管を立設して成る上部継手と、前記軒樋の底面の下面に取付けられる第二フランジに上下に突出する連通管を備えて成る下部継手とで形成されることを特徴としいている。また、請求項４の発明は、請求項３に記載の屋根上散水配管構造であって、前記下部継手の前記連通管が前記軒樋の底面に形成される孔を貫通して前記上部継手の短管に嵌入することによって、前記第一フランジと前記第二フランジが前記軒樋の底面を挟持して前記上部継手と前記下部継手とが固着されることを特徴としている。また、請求項５の発明は、請求項３又は４に記載の屋根上散水配管構造であって、前記下部継手の連通管の上方部の外周に複数の溝が形成され、前記溝は、前記上方部が前記上部継手の短管に固着する際に用いられる接着剤のための溜部であることを特徴としている。
【発明の効果】
【００１０】
請求項１の発明によれば、前記散水管が貫通継手を介して建物の軒先に設けられる軒樋の底面を貫通するため散水管が軒下から屋根上まで軒樋の外側を横切らずに敷設されるので、散水管の外観性が損なわれないため建物の品質性が向上する。前記散水管は屋根の上方までけらば部材の外側部に形成される凹部内に配置されるので前記散水管がけらば部材の外側面から突出しないので散水管の外観性が損なわれないためさらに品質性が向上する。
【００１１】
請求項２の発明によれば、前記凹部に前記散水管を覆う化粧カバーを備えるので、前記散水管が露出しないので、請求項１の効果がさらに向上する。
【発明を実施するための最良の形態】
【００１２】
＜屋根上散水配管構造の構成＞
以下に、本発明の実施形態を図１〜図６に基づいて説明する。
【００１３】
図１に示すように、本発明の屋根上散水配管構造２１は建物の屋根２４に散水する散水管の配管構造である。散水の方法は循環式で、貯水槽２２に貯められた水が図示しないヒーターで温められて温水となり、温水は図示しない揚水ポンプで散水管２３により軒樋２７の一端部Ｐ側から屋根上に上げられる。さらに散水管２３は屋根２４の側端部のけらば部材５０の外側部に形成される凹部５０ｄ内に配置されて屋根の上方まで導かれた後、けらば部材５０を貫通して屋根２４上に敷設された屋根上散水管２５に接続される。屋根上散水管２５のノズル２５ａから屋根２４上に積もった雪２４ａに散水される。
【００１４】
散水された温水と融雪水は軒樋２７の他端部Ｑ側の底面２７ｃに連結された竪樋２８を経て貯水槽２２に戻るとともに、貯水槽２２からオーバーフローする水は排水管２２ａから排出される。
【００１５】
図２、図３、図４、図５に示すように、軒樋２７は断面凹形状で略垂直の前面２７ａと後面２７ｂと略水平の底面２７ｃとから成り、前面２７ａの先端に前耳２７ｄと後面２７ｂの先端に後耳２７ｅを備える。軒樋２７はこの前耳２７ｄと後耳２７ｅを介して建物の軒先の鼻板２６に固着された図示しない軒樋吊金具によって吊下げられる。
【００１６】
軒樋２７の一端部Ｐ側の底面２７ｃに孔２９が形成され、この孔２９に対応して貫通継手４０が設けられる。散水管２３はこの貫通継手４０を介して軒樋２７を貫通する。
【００１７】
貫通継手４０の上方にエルボ材３３が設けられ、エルボ材３３の曲げ角度αは垂直軸から屋根２４の傾斜角度βに合わせて傾斜した角度である。このエルボ材３３の下端部３３ａと上端部３３ｂに散水管２３を連結する。なお、散水管２３は矩形筒状で、この矩形筒状に対応してエルボ材３３と貫通継手４０も形成される。
【００１８】
エルボ材３３の上端部３３ｂに接続された散水管２３はけらば部材５０の外側部に形成される凹部５０ｄ内に図示しない固着具によって固定配置されて屋根の上方まで導かれた後、屋根２４上に出て矩形筒状の屋根上散水管２５に接続される。
【００１９】
より詳しくは、けらば部材５０は矩形筒状の一隅を窪ませて成る上部材５０ａと矩形筒状の下部材５０ｂが二段に重なった形状で、上部材５０ａの窪んだ一隅と下部材５０ｂの上側面によって矩形溝状の凹部５０ｄが形成される。この凹部５０ｄに散水管２３を覆うように断面コ字状で長尺の化粧カバー５１がけらば部材５０に取外し可能に固着される。
【００２０】
なお、けらば部材５０の前端部５０ｃは軒樋２７を覆うように上部材５０ａが張出して形成されているので散水管２３及びエルボ材３３は前端部５０ｃと軒樋２７によって外側から見えないように配置される。
【００２１】
図６に示すように、貫通継手４０は、底面２７ｃの上面に取付けられる第一フランジ４１に矩形筒状の短管４２を立設して成る上部継手４３と、底面２７ｃの下面に取付けられる第二フランジ４５に上下に突出する矩形筒状の連通管４６を備えて成る下部継手４７とで形成される。
【００２２】
下部継手４７の連通管４６が底面２７ｃの孔２９を貫通して上部継手４３の短管４２に嵌入することによって第一フランジ４１と第二フランジ４５が底面２７ｃを挟持した状態で上部継手４３と下部継手４７が固着される。より詳しくは、連通管４６の上方部４６ａの外周に複数の溝４６ｂが形成され、溝４６ｂは上方部４６ａが短管４２に固着する際に用いられる接着剤のための溜部である。
【００２３】
屋根上散水配管構造２１の各部材の材質は、ステンレスや亜鉛メッキをした金属、あるいは軽量化や耐腐食性を考慮して例えば硬質塩化ビニール樹脂等の合成樹脂材料で形成される。各部材間の接続は溶接又は接着剤を用いて水密的に固着される。
＜屋根上散水配管構造の作用＞
【００２４】
散水管２３が貫通継手４０を介して軒樋２７の底面２７ｃを貫通するので散水管２３が軒樋２７の外側に露出せず、さらに散水管２３が軒樋２７から屋根２４の上方までけらば部材５０の凹部５０ｄ内に配置されるので、建物の外観性が良くなるため建物の品質性が向上する。凹部５０ｄに散水管２３を覆う断面コ字状の化粧カバー５１を備えるので、確実に散水管２３が覆われるので建物の品質性がさらに向上する。
【００２５】
積雪、ひょうの落下による破損を防止するために屋根上に露出する屋根上散水管２５がコストの高い金属製を使用する場合でも、散水管２３が軒樋２７から屋根２４の上方までけらば部材５０の凹部５０ｄ内に配置されるので安価な樹脂製を用いることができるためコストを下げることができる。
【００２６】
以上、本発明の実施例を図面に基づいて説明したが、具体的な構成はこの実施例に限られるものではなく本発明の要旨を逸脱しない範囲の設計変更等があっても本発明に含まれる。
【００２７】
例えば、散水管２３と竪樋２８を軒樋２７の一端部Ｐ側に隣接して取付けると外観的に散水管２３と軒樋２７が一箇所に纏まるため建物の品質性がさらに向上する。散水管２３と屋根上散水管２５は円筒形状でもよく、互いに異なる断面筒状で異形管継手で連結する構成でもよい。貫通継手４０は、上部継手４３と下部継手４７を上下逆勝手に取付けても構わない。また、本実施例の屋根上に散水する構成は真夏における建物の冷却用としても使用でき、その際には貯水槽２２に貯められる水用のヒーターは不要である。
【図面の簡単な説明】
【００２８】
【図１】本発明の実施形態における、屋根上散水配管構造２１を用いて建物の屋根２４上に送られる散水管２３の配置状態の斜視図である。
【図２】本発明の実施形態における、図１のＡ−詳細斜視図である。
【図３】本発明の実施形態における、図２のＢ−Ｂ矢視図である。
【図４】本発明の実施形態における、図２のＣ−Ｃ矢視図である。
【図５】本発明の実施形態における、図２のＤ−Ｄ矢視図である。
【図６】本発明の実施形態における、貫通継手４０の構成を示す斜視図である。
【図７】従来の屋根上散水配管構造で、溜めた雨水をポンプ９によって建物１の屋根６まで散水管８によって導かれて、屋根の上方に設けられた散水部１０から散水される状態を示す斜視図である。
【符号の説明】
【００２９】
２３  散水管
２４  屋根
２５  屋根上散水管
２７  軒樋
２７ｃ  底面
２９  孔
３３  エルボ材
３３ｂ  上端部
４０  貫通継手
５０  けらば部材
５０ａ  上部材
５０ｂ  下部材
５０ｃ  前端部
【図１】
0004980954.tif 000002
【図２】
0004980954.tif 000003
【図３】
0004980954.tif 000004
【図４】
0004980954.tif 000005
【図５】
0004980954.tif 000006
【図６】
0004980954.tif 000007
【図７】
0004980954.tif 000008